(57)【要約】【課題】太陽光を有効に活用しつつ、光の過不足を補うことが可能で、効率のよい電力管理を実現可能な屋内照明集中制御システムを提供する。【解決手段】屋外からの光を取り込む採光装置と電気的に発光する発光装置とを備えた光集積センタ２０と、光集積センタ２０の光を屋内の複数の箇所へ照明として導く光伝達部３０と、記屋内の複数の箇所である被照明部６０−１〜６０−ｎの照明を個別に制御可能とする照明制御部５０と、を有し、照明制御部５０は、記屋外からの光を取り込む採光装置による光を照明として優先的に用い、照明の照度が不足する場合は発光装置にて発光される光により照度を補うことで複数の箇所の照明を管理する。【選択図】図１
2011175860.tif 000002
【特許請求の範囲】
【請求項１】
屋外からの光を取り込む採光装置と電気的に発光する発光装置とを備えた光集積センタと、
前記光集積センタの光を屋内の複数の箇所へ照明として導く光伝達部と、
前記屋内の複数の箇所の前記照明を個別に制御可能とする照明制御部と、を有し、
前記照明制御部は、
前記屋外からの光を取り込む前記採光装置による光を照明として優先的に用い、当該照明の照度が不足する場合は前記発光装置にて発光される光により照度を補うことで前記複数の箇所の照明を管理する
屋内照明集中制御システム。
【請求項２】
前記屋内の複数の箇所の照明の要否に関する情報および照度調節に関する情報のうちの少なくとも一方の情報を前記照明制御部に伝達する情報伝達部を、さらに有し、
前記照明制御部は、
伝達される前記情報に基づいて前記屋内の複数の箇所の照明を制御する
請求項１に記載の屋内照明集中制御システム。
【請求項３】
前記照明の要否および照度調節に関する情報とは、照明スイッチの状態、照度コントローラの状態、照度センサの出力、生物の有無、時刻、映像情報、家電利用状況の少なくともいずれかを含む
請求項１または２に記載の屋内照明集中制御システム。
【請求項４】
前記発光装置の光源には半導体発光素子を含み、
前記光集積センタは、
電気的に発光量を制御する
請求項１から３のいずれか一に記載の屋内照明集中制御システム。
【請求項５】
前記光集積センタから発生する廃熱を用いて発電、給湯、暖房の少なくともいずれかを行う
請求項１から４のいずれか一に記載の屋内照明集中制御システム。
【請求項６】
前記光伝達部は光ファイバを含む
請求項１から５のいずれか一に記載の屋内照明集中制御システム。
【発明の詳細な説明】
【技術分野】
【０００１】
本発明は、オフィス等の大規模施設の照明に適用可能な屋内照明集中制御システムに関するものである。
【背景技術】
【０００２】
施設照明のシステムとして太陽光を取り入れる技術として、特許文献１に開示された技術が知られている。
この先行技術には、光ファイバを用いて少なくとも２つの異なる照明位置に半導体発光素子の光を送る光配給ユニットに関する技術が開示されている。
【０００３】
近年、地球温暖化対策の一環として温室効果ガスの排出削減が要望されており、先行技術には太陽電池を用いて蓄電池を充電する技術も開示されている。
【先行技術文献】
【特許文献】
【０００４】
【特許文献１】特許第４２０７０６１号明細書、図面
【発明の概要】
【発明が解決しようとする課題】
【０００５】
しかしながら、太陽電池にて電気エネルギーに変換して蓄電池に蓄積し、その電気エネルギーを半導体発光素子にて再び光に変換するのでは、それぞれの変換における損失や、蓄電池の自然放電による損失によって、折角の太陽の光エネルギーを無駄にしていると言える。
【０００６】
また、太陽光を光ファイバによって各部屋へ伝搬させることも行われているが、この場合、天候に左右されることが多く、補助光源としてしか作用しない。
さらに、主たる照明と連動されていないため、ユーザーに操作を依存することになる。
【０００７】
本発明は、太陽光を有効に活用しつつ、光の過不足を補うことが可能で、効率のよい管理を実現可能な屋内照明集中制御システムを提供することにある。
【課題を解決するための手段】
【０００８】
本発明の第１の観点の屋内照明集中制御システムは、屋外からの光を取り込む採光装置と電気的に発光する発光装置とを備えた光集積センタと、前記光集積センタの光を屋内の複数の箇所へ照明として導く光伝達部と、前記屋内の複数の箇所の前記照明を個別に制御可能とする照明制御部と、を有し、前記照明制御部は、前記屋外からの光を取り込む前記採光装置による光を照明として優先的に用い、当該照明の照度が不足する場合は前記発光装置にて発光される光により照度を補うことで前記複数の箇所の照明を管理する。
【０００９】
好適には、前記屋内の複数の箇所の照明の要否に関する情報および照度調節に関する情報のうちの少なくとも一方の情報を前記照明制御部に伝達する情報伝達部を、さらに有し、前記照明制御部は、伝達される前記情報に基づいて前記屋内の複数の箇所の照明を制御する。
【００１０】
好適には、前記照明の要否および照度調節に関する情報とは、照明スイッチの状態、照度コントローラの状態、照度センサの出力、生物の有無、時刻、映像情報、家電利用状況の少なくともいずれかを含む。
【００１１】
好適には、前記発光装置の光源には半導体発光素子を含み、前記光集積センタは、電気的に発光量を制御する。
【００１２】
好適には、前記光集積センタから発生する廃熱を用いて発電、給湯、暖房の少なくともいずれかを行う。
【００１３】
好適には、前記光伝達部は光ファイバを含む。
【発明の効果】
【００１４】
本発明によれば、太陽光を有効に活用しつつ、光の過不足を補うことが可能で、効率のよい電力管理を実現できる。
【図面の簡単な説明】
【００１５】
【図１】本発明の実施形態に係る屋内照明集中制御システムの構成例を示す図である。
【図２】本実施形態に係る光集積センタの構成例を示す図である。
【図３】本実施形態に係る光集積センタの採光装置の第１の構成例を示す図である。
【図４】本実施携帯に係る光集積センタの採光装置の第２の構成例を示す図である。
【図５】本実施形態に係る被照明部の照明監視部の監視対象例を示す図である。
【図６】本実施形態に係る照明制御部の照明制御情報について説明するための図である。
【発明を実施するための形態】
【００１６】
以下、本発明の実施形態を図面に関連付けて説明する。
【００１７】
図１は、本発明の実施形態に係る屋内照明集中制御システムの構成例を示す図である。
【００１８】
本屋内照明集中制御システム１０は、ＨＬＭＳ（Home Lighting management System）として構成される。
ＨＬＭＳとは、施設内の光を最適化するシステムで、主たるユニットとして、光集積センタ、照明制御部としてのライトコントローラ、光伝達部としての光ファイバ等によって構成される。
【００１９】
本屋内照明集中制御システム１０は、光集積センタ２０、光伝達部３０、情報伝達部４０、照明制御部５０、被照明部６０−１〜６０−ｎ（本実施形態ではｎ＝４）、水冷ユニット７０、および貯湯タンク８０を主構成要素として含んで構成されている。
【００２０】
本屋内照明集中制御システム１０は、太陽光を最大限有効に活かすために、光集積センタ２０において屋外光（太陽光等）の取り込みと発光装置とを光源として併用して複数の箇所に照明光として伝達する。
そして、屋外光では照明光の照度が不足する場合に発光装置を働かせて補うことで高効率な照明制御を行う。
また、照明を行う箇所である被照明部６０−１〜６０−４の照明の要否や照度調節に関する情報を、情報伝達部４０を通して照明を集中管理している照明制御部５０にフィードバックする構成とすることで、常に最適且つ高効率の照明制御を行うことが可能となっている。
さらに、屋内照明集中制御システム１０は、光集積センタ２０に光源を集中させることで、これまで各部屋に設置されていた発光装置の電源を一つにすることができるためコストやスペース的にも有利となっている。
【００２１】
本屋内照明集中制御システム１０は、屋外からの光を取り込む採光装置による光を照明として優先的に用いて光伝達部３０で被照明部６０−１〜６０−４に伝達する。
そして、屋内照明集中制御システム１０は、採光装置で取り込んだ光の照明の照度が不足する場合は、電気的な発光装置にて発光される光により照度を補うことで複数の箇所である被照明部６０−１〜６０−４の照明を管理する。
【００２２】
以下、各部の構成および機能について説明する。
【００２３】
光集積センタ２０は、屋外からの光を取り込む採光装置と電気的に発光する発光装置とを含んで構成される。
光集積センタ２０は、施設内の光を提供する唯一の光源となる。光源には、採光装置による太陽光ＳＬと人工光源ＬＳとしての発光装置が含まれる。
太陽光は、たとえば光ダクト、もしくは光ファイバによって光集積センタ２０まで誘導され、人工光源には、たとえば発光ダイオード（ＬＥＤ：Light Emitting Diode）が用いられる。
光集積センタ２０は、照明制御部５０の制御の下、基本的に、太陽光ＳＬを最大限有効に活かすために、光集積センタ２０において屋外光（太陽光等）の取り込みと発光装置とを光源として併用して複数の箇所に照明光として伝達する。
そして、光集積センタ２０は、照明制御部５０の指示に応じて、屋外光では照明光の照度が不足する場合に発光装置を働かせて補うことで高効率な集中照明を行う。
【００２４】
図２は、本実施形態に係る光集積センタの構成例を示す図である。
【００２５】
光集積センタ２０は、採光装置２１、および発光装置２２を有する。
【００２６】
採光装置２１は、屋外からの光、主として太陽光を取り込む。
【００２７】
図３は、本実施形態に係る光集積センタの採光装置の第１の構成例を示す図である。
図３の採光装置２１Ａは、太陽光ＳＬを採光するための採光部（採光口）２１１、採光部２１１から採り入れられた外部光を光集積センタ２０の光伝達部３０との接続領域に導光する導光部２１２を含んで構成される。
導光部２１２は、反射率の高い面をもつ金属や蒸着ミラー等により形成される。
導光部２１２は、採光した光を、たとえば光ファイバにより形成される光伝達部３０の一端部に導光する。
図３の例の場合には、たとえば図２に示すように、光伝達部３０を形成する光ファイバの一端部に集光レンズ２１３を介して結合されて導波させる。
【００２８】
図４は、本実施携帯に係る光集積センタの採光装置の第２の構成例を示す図である。
図４の採光装置２１Ｂは、太陽光ＳＬを集光レンズ２１４で集光して導光部として光ファイバ２１５に一端部に結合させて導波させる。
この場合、光ファイバ２１５の他端部は、光集積センタ２０の光伝達部３０との接続領域に配置され、たとえば光伝達部３０を形成する光ファイバに連結するように構成される。
【００２９】
光集積センタ２０の発光装置２２は、基板２２１にアレイ状に配列された複数のＬＥＤ２２２を有する。
発光装置２２は、ＬＥＤ２２２の発光を、照明制御部５０による光分配情報ＩＯＤに応じて、全体的に、あるいは個別に、あるいは所定のグループごとに発光駆動制御する電源ユニット２２３を有する。
また、発光装置２２は、各ＬＥＤ２２２の光出射部に対向して配置され、ＬＥＤ２２２の出射光を光伝達部３０の形成する光ファイバＦＢの端面に結合させて導光する複数の集光レンズ２２４を有する。
【００３０】
光集積センタ２０は、発光装置２２の電源ユニット２２３や各ＬＥＤ２２２の駆動に伴って発生する熱を廃熱として、排出口２３から水冷ユニット７０に供給する。
本実施形態においては、光集積センタ２０から発生する廃熱を水冷ユニット７０に供給し、その水冷ユニット７０は貯湯タンク８０に利用され、給湯や給水、発電、暖房等が行われる。
【００３１】
光伝達部３０は、光集積センタ２０による光を屋内の複数の箇所である被照明部６０−１〜６０−４に照明光として導波する。
光伝達部３０は、たとえば図１および図２に示すように、光ファイバ３０−１〜３０−４により形成される。
図１の例では、光ファイバ３１は被照明部６０−１に光集積センタ２０による照明光を導く。
光ファイバ３０−２は被照明部６０−２に光集積センタ２０による照明光を導く。
光ファイバ３０−３は被照明部６０−３に光集積センタ２０による照明光を導く。
光ファイバ３０−４は被照明部６０−４に光集積センタ２０による照明光を導く。
【００３２】
このように照明光により照明される被照明部６０−１〜６０−４は、それぞれ照明監視部６１−１〜６１−４（ｎ）を含んで構成される。
照明監視部６１−１〜６１−４は、屋内の被照明部６０−１〜６０−４の照明の要否に関する情報および照度調節に関する情報のうちの少なくとも一方の情報（本実施形態においては両情報）を、情報伝達部４０を介して照明制御部５０に伝達する機能を有している。
照明の要否および照度調節に関する情報とは、照明スイッチの状態、照度コントローラの状態、照度センサの出力、生物の有無、時刻、映像情報のいずれかを含む。
【００３３】
図５は、本実施形態に係る被照明部の照明監視部の監視対象例を示す図である。
被照明部６０−１〜６０−４の照明監視部６１−１〜６１−４には、図５に示すように、照明スイッチＳＷ、照度センサＳＮＳ、生物の有無を感知するたとえば人感センサＨＳ、監視カメラＣＭ、家電利用状況を管理するコントローラＣＮＴ等が接続されている。
【００３４】
情報伝達部４０は、各被照明部６０−１〜６０−４の照明監視部６１−１〜６１−４による照明の要否に関する情報および照度調節に関する情報を照明制御部５０に伝達する。
情報伝達部４０は、たとえば図１に示すように、信号線４０−１〜４０−４により形成される。
図１の例では、信号線４０−１は被照明部６０−１の情報光を照明制御部５０に導く。
信号線４０−２は被照明部６０−２の情報光を照明制御部５０に導く。
信号線４０−３は被照明部６０−３の情報光を照明制御部５０に導く。
信号線４０−４は被照明部６０−４の情報光を照明制御部５０に導く。
【００３５】
照明制御部５０は、情報伝達部４０による照明の要否に関する情報および照度調節に関する情報、並びに、太陽光量に関する情報に基づいて、光集積センタ２０の照明光の駆動制御を行う。
照明制御部５０は、屋外からの光を取り込む採光装置２１による光を照明として優先的に用い、その照明の照度が不足する場合は発光装置２２にて発光される光により照度を補うことで複数の箇所の照明を管理する。
照明制御部５０は、人工光源である発光装置２２の発光量を指示する情報を、光分配情報ＩＯＤに含めて光集積センタ２０の電源ユニット２２３に供給する。
【００３６】
図６は、本実施形態に係る照明制御部の照明制御情報について説明するための図である。
この場合、照明制御部５０は、上述したように、光情報処理部５１が、情報伝達部４０による照明の要否に関する情報および照度調節に関する情報、並びに、太陽光量に関する情報に基づいて、光集積センタ２０の照明光の駆動制御を行う。
情報伝達部４０による照明の要否に関する情報および照度調節に関する情報には、家電利用状況、人感センサ情報、照度センサ情報、監視カメラの監視情報等のいずれかが含まれる。
【００３７】
この照明制御部５０の照明制御についてさらに詳述する。
【００３８】
照明制御部５０には、各部屋である被照明部６０−１〜６０−４をモニタリングする機能と光源の発光量を指示する機能を有する。
たとえば、上述したように、各被照明部６０−１〜６０−４に配置される人感センサＨＳ、監視カメラＣＭ、電化製品の使用状況ＣＴＬ、照度センサＳＮＳを用いることが可能である。
【００３９】
人感センサＨＳを使った場合、対象の部屋に人がいるかいないかを把握することができる。
この人感センサＨＳからの情報を、情報伝達部４０を介して照明制御部５０に伝達して、照明制御部５０が処理し、光集積センタ２０へのフィードバックを行う。
【００４０】
たとえば、部屋に人が『いる』と判断した場合、指定の部屋に光を供給するように光集積センタ２０へ指示を出す。
部屋に人が『いない』と判断した場合、指定の部屋に光を供給しないように指示を出す。
【００４１】
次に、たとえば、監視カメラＣＭを用いた場合、多機能化させることができる。
部屋に人が『いる』、『いない』だけではなく、『何をしている』かで明るさ、色温度等の光の質に対応することができる。
たとえば、就寝時などは、明るくする必要が無い。
食事のときは、色温度を低くしムードを演出することも可能となる。
【００４２】
電化製品の使用状況によるフィードバックも類似している。
たとえば、普通にテレビを見ている時、映画を見ている時等、シチュエーション毎に光を調節することも可能となる。
照度センサＳＮＳの場合は、日中、光が十分差し込む時には、明るさを抑えるということもできる。
【００４３】
このように、各区画の欲する照明状況をモニタリングすることで、最適な光を提供するように光集積センタ２０に的確な指示を出すことが可能となる。
【００４４】
以上説明したように、本実施形態によれば、屋外から取り込む光と電気的に発光する灯とを光源として併用し、建物内の複数の部屋の照明として光ファイバで導く照明制御システムにおいて、屋外光を優先的に用いて、照度が不足する場合に発光装置の光にて補う。
照明の要否や照度は各部屋からの情報のフィードバックによって個別に制御可能とする。光源から発生する熱は廃熱利用する。
より具体的には、本実施形態においては、太陽光を最大限有効に活かすために、光集積センタにおいて屋外光（太陽光等）の取り込みと発光装置とを光源として併用して複数の箇所に照明光として伝達し、屋外光では照明光の照度が不足する場合に発光装置を駆動させて補うことで高効率な照明制御を行う。
また、照明を行う箇所の照明の要否や照度調節に関する情報を照明を集中管理している照明制御部５０にフィードバックする。
これにより、常に最適かつ高効率の照明制御を行うことが可能となる。
さらに、光集積センタ２０に光源を集中させることで、これまで各部屋に設置されていた発光装置の電源を一つにすることができるためコストやスペース的にも有利となる。
【符号の説明】
【００４５】
１０・・・屋内照明集中制御システム、２０・・・光集積センタ、２１・・・採光装置、２２・・・発光装置、２２１・・・基板、２２２・・・ＬＥＤ，２２３・・・電源ユニット、３０・・・光伝達部、３０・・・情報伝達部、３０−１〜３０−４・・・光ファイバ、４０・・・情報伝達部、４０−１〜４０−４・・・信号線、５０・・・照明制御部、６０−１〜６０−ｎ・・・被照明部、６１−１〜６１−４・・・照明監視部、７０・・・水冷ユニット、８０・・・貯湯タンク。
【図１】
2011175860.tif 000003
【図２】
2011175860.tif 000004
【図３】
2011175860.tif 000005
【図４】
2011175860.tif 000006
【図５】
2011175860.tif 000007
【図６】
2011175860.tif 000008